(57)【要約】【課題】中に収納される記憶ディスクに関する情報やこのケースに関する情報を十分な容量記憶しておくことが可能な記憶手段を有する記憶ディスク収納ケースを提供する。【解決手段】本体ケース１１と蓋体１２と底板１７とから成り、本体ケース１１内の案内溝２０によって複数枚のハードディスク１０をそれぞれの軸線が互いにほぼ一致するように配列して収納し、蓋体１２の内側に取付けられている押え部材１５によって上から押えるようにした記憶ディスク収納ケースであって、本体ケース１１の一部に筒状保持部３３を形成し、この保持部３３にＩＣタグ３５を装着する。内部を洗滌する際には底板１７を取外し、底部開口を露出させて作業を容易にする。【選択図】　図１
2004083014.tif 000002
【特許請求の範囲】
【請求項１】
上部が開放され、内部に記憶ディスクをそれらの軸線が互いにほぼ一致するように配列して収納する本体ケースと、
前記本体ケースの上部開口を覆うように取付けられる蓋体と、
前記本体ケースの底部開口を閉塞するように取付けられる底板と、
内部に収納される記憶ディスクに関する情報またはこのケースに関する情報を記憶しておく記憶手段と、
を具備する記憶ディスク収納ケース。
【請求項２】
前記記憶手段がボタン状のＩＣタグから構成され、前記本体ケースの外表面上に形成された保持部に保持されることを特徴とする請求項１に記載の記憶ディスク収納ケース。
【請求項３】
前記本体ケースの前記記憶ディスクの配列方向の少なくとも一端に前記記憶ディスクの中心部とほぼ対応する切込みが形成され、該切込みを閉塞する舌片が前記蓋体の側端に連設されることを特徴とする請求項１または請求項２に記載の記憶ディスク収納ケース。
【請求項４】
前記蓋体の舌片の先端部にロック部が設けられ、該ロック部が前記本体ケースの切込みの下側に位置する被ロック部に前記本体ケースの内側から係合され、外側からプッシャーで前記ロック部を押圧するとロックが解除されることを特徴とする請求項３に記載の記憶ディスク収納ケース。
【請求項５】
前記蓋体の内側に押え部材が取付けられ、該押え部材が前記本体ケース内に配列された記憶ディスクを上部から押えるとともに、前記蓋体に対して付勢力を加え、前記ロック部によるロックが解除されると前記蓋体が前記本体ケースに対して上方に離脱することを特徴とする請求項４に記載の記憶ディスク収納ケース。
【請求項６】
前記本体ケースの側端の外表面に一対の突条が左右対称に形成されるとともに、該突条の下端部が切欠かれ、該切欠かれた突条の段部が積重ねたときに下段の前記本体ケースの開口縁部に係合され、しかも前記開口縁部の内側の一対の縦リブが前記本体ケースの側端を幅方向から規制することを特徴とする請求項１〜請求項５の何れかに記載の記憶ディスク収納ケース。
【発明の詳細な説明】
【０００１】
【発明の属する技術分野】
本発明は記憶ディスク収納ケースに係り、とくに記憶ディスクをそれらの軸線が互いにほぼ一致するように配列して収納するようにした記憶ディスク収納ケースに関する。
【０００２】
【従来の技術】
コンピュータ等の記録媒体として、ハードディスクが広く用いられている。ハードディスクは円板状をなすアルミウム基板あるいはガラス基板の表面に薄膜の磁性層を形成したものである。そして上記ハードディスクを回転させながら磁気ヘッドと対接させると、電磁誘導または磁気誘導の原理によって情報の読書きが行なわれる。
【０００３】
このようなハードディスクの基板、原盤、あるいはその中間製品、または完成品の搬送や収納のために、記憶ディスク収納ケースが従来より用いられている。この種の記憶ディスク収納ケースは、記憶ディスクをそれらの軸線が互いにほぼ一致するように配列した状態で収納するものであって、ケースの側端にＵ字状の切込みを形成しておき、この切込みを通してロボットハンド等によってハードディスクあるいはその中間製品に対するアクセスを可能にしている。これによって製造工程の自動化が図られるとともに、ハードディスクあるいはその中間製品の汚損が防止される。
【０００４】
【発明が解決しようとする課題】
このようにハードディスクを製造する際に、その基板、中間製品ディスク、あるいはハードディスクの完成品を収納するための記憶ディスク収納ケースは、中に収納される記憶ディスクに関する情報、例えば加工のステップを示す情報や品番に関する情報等を保持しておく必要がある。あるいはまたケースそれ自身の情報、例えばこのケースが何回使用されたか、使用後に洗滌されたかどうか等の情報を記憶しておくことが好ましい。
【０００５】
このような中に収納される記憶ディスクまたはケースに関する情報を記憶するためにバーコードを用いることが考察される。ところがバーコードはその記憶容量が少ないばかりか、内容を自由に書換えすることができないという欠点があった。
【０００６】
本発明はこのような問題点に鑑みてなされたものであって、その中に収納される記憶ディスク、その基板、あるいは中間製品に関する情報や、ケースに関する情報を記憶することが可能な記憶ディスク収納ケースを提供することを目的とする。
【０００７】
【課題を解決するための手段】
本願の主要な発明は、
上部が開放され、内部に記憶ディスクをそれらの軸線が互いにほぼ一致するように配列して収納する本体ケースと、
前記本体ケースの上部開口を覆うように取付けられる蓋体と、
前記本体ケースの底部開口を閉塞するように取付けられる底板と、
内部に収納される記憶ディスクに関する情報またはこのケースに関する情報を記憶しておく記憶手段と、
を具備する記憶ディスク収納ケースに関するものである。
【０００８】
ここで前記記憶手段がボタン状のＩＣタグから構成され、前記本体ケースの外表面上に形成された保持部に保持されてよい。また前記本体ケースの前記記憶ディスクの配列方向の少なくとも一端に前記記憶ディスクの中心部とほぼ対応する切込みが形成され、該切込みを閉塞する舌片が前記蓋体の側端に連設されてよい。また前記蓋体の舌片の先端部にロック部が設けられ、該ロック部が前記本体ケースの切込みの下側に位置する被ロック部に前記本体ケースの内側から係合され、外側からプッシャーで前記ロック部を押圧するとロックが解除されてよい。また前記蓋体の内側に押え部材が取付けられ、該押え部材が前記本体ケース内に配列された記憶ディスクを上部から押えるとともに、前記蓋体に対して付勢力を加え、前記ロック部によるロックが解除されると前記蓋体が前記本体ケースに対して上方に離脱するようにしてよい。また前記本体ケースの側端の外表面に一対の突条が左右対称に形成されるとともに、該突条の下端部が切欠かれ、該切欠かれた突条の段部が積重ねたときに下段の前記本体ケースの開口縁部に係合され、しかも前記開口縁部の内側の一対の縦リブが前記本体ケースの側端を幅方向から規制するようにしてよい。
【０００９】
このような記憶ディスク収納ケースによれば、記憶手段によって内部に収納される記憶ディスクに関する情報またはこのケースに関する情報を記憶しておくことが可能になる。なおここで記憶ディスクとは、ハードディスクのような完成品としての記憶ディスクのみならず、その基板、中間製品をも含むものとする。
【００１０】
【発明の実施の形態】
図１〜図８は本発明の一実施の形態の記憶ディスク収納ケースの全体の構成を示すものである。この記憶ディスク収納ケースはとくに図１、図７および図８に示すように、円板状をなすハードディスク１０と、このハードディスク１０を軸線方向に配列した状態で収納する本体ケース１１と、本体ケース１１の上部開口を閉塞する蓋体１２と、本体ケース１１の底部開口を閉塞する底板１７とから構成される。そして蓋体１２の内側にはハードディスク１０の上面を押える押え部材１５が取付けられる。
【００１１】
次に図９〜図１１によって本体ケース１１について説明する。本体ケース１１は例えばカーボン粉末を８〜１０重量％混入したポリプロピレンまたはポリカーボネート樹脂の成形体から構成される。そしてこの本体ケース１１は上部が開放されるとともに底部に矩形の開口が形成されたほぼ箱形の容器をなしている。また本体ケース１１の長辺側の側板の内側には、互いに対向するように突条１９が形成されるとともに、これらの突条１９間が案内溝２０になっている。
【００１２】
この実施の形態においては２６本の突条１９が両側にそれぞれ形成され、その間に２５本の案内溝２０が形成されている。これによって本体ケース１１内に２５枚のハードディスク１０を軸線方向に配列した状態で収納している。
【００１３】
上記本体ケース１１のハードディスク１０の軸線方向の両端にはそれぞれＵ字状の切込み２２が形成されている。これらの切込み２２の周縁部には外側側へ突出するリブ２３が連設されている。そしてリブ２３の両側には左右対称に突条２４が上下方向に延びるように形成されている。突条２４の下端側は底部より少し高い位置で切欠かれて切欠き２５になっている。またＵ字状切込み２２の下側には矩形の開口から成る被ロック部２６が形成されている。この被ロック部２６と対向するように、その内側には遮蔽板２９が形成されている。なお遮蔽板２９はその両側端が本体ケース１１の内壁に一体に連結されている。またＵ字状切込み２２が形成されている側板の内側には縦方向に延びる一対のリブ２７が形成されている。さらにこの側板の下端であって両側のリブ２４の中間には切欠き２８が形成されている。
【００１４】
またこの本体ケース１１の上部開口３０の周縁部の外側部に沿ってフランジ３１が形成されている。そしてこのフランジ３１の下側が膨出部３２になっている。膨出部３２の中間位置には横方向に延びる突条３４が形成されている。この突条３４の横方向の突出量は図８および図１１に示すように、上記フランジ３１のそれとほぼ等しくなっており、複数のケースを横方向に接して並べたときに傾かないようになっている。また膨出部３２の下側であってこの本体ケース１１の外表面には、その３個所に２個ずつの対になった滑り止め用突部３６が形成されている。また本体ケース１１のＵ字状切込み２２が形成されている側板の上記被ロック部２６の斜め下側には筒状保持部３３が形成され、この筒状保持部３３にＩＣタグ３５が保持されている。
【００１５】
次にこのような本体ケース１１の上部開口３０を閉じる蓋体１２について図１２〜図１４により説明する。蓋体１２はカーボン粉末を８〜１０重量％混入したポリプロピレン樹脂の成形体から成り、上記本体ケース１１の上部開口３０とほぼ整合する大きさの偏平な蓋体から構成され、しかもその軸線方向の両側にはそれぞれ舌片３８が形成される。舌片３８は上記本体ケース１１の両端のＵ字状切込み２２に整合する内側に突出した膨出部３９を備え、この膨出部３９を本体ケース１１の切込み２２に整合させることによって切込み２２を閉塞するようにしている。
【００１６】
また舌片３８の先端側にはロック片４０が形成されるとともに、このロック片４０の外側にはロック爪４１が設けられている。そしてこのロック爪４１が本体ケース１１のＵ字状切込み２２の下側の矩形の開口２６に係合され、これによって蓋体１２がロックされるようになっている。またこの蓋体１２の上部の下側には１列になるように３つの筒状保持部４２が形成され、これらの保持部４２によって押え部材１５を保持するようにしている。
【００１７】
本体ケース１１は底板を有せず、下側の部分が矩形の底部開口１６から構成されている。そしてこの底部開口１６を覆うように蓋板１７が取付けられる。蓋板１７は図１５〜図１９に示すように、例えばポリエチレンによって成形された偏平な板状体から構成され、その周縁部にリブから成る周壁部６３が形成されるとともに、その中央部には内側へ突出するように突出部６４が形成された構造になっている。そしてこの底板１７は上記リブ６３が本体ケース１１の下端において開口１６の周縁部を構成する壁部に係合されて取付けられるようになっている。
【００１８】
次に上記蓋体１２の天板の内側に取付けられる押え部材１５について図２０〜図２２により説明する。押え部材１５はその両側にハードディスク１０と同じ数、すなわち２５の押え片４５を一体に備えている。これらの押え片４５の先端側は下方に突出する円弧状押圧部４６によって構成される。これらの押圧部４６が本体ケース１１内のハードディスク１０の周縁部であってその上端部を押えるようになっている。また押え部材１５の上面には互いに平行に一対のリブ４７が形成されるとともに、リブ４７間に３本のピン４８が立設されている。ピン４８は上記蓋体１２の筒状保持部４２と嵌合し、これによって押え部材１５が蓋体１２の上面の内側に保持されるようになっている。
【００１９】
このように本実施の形態の記憶ディスク収納ケースはその底部開口１６に底板１７を取付けて閉塞しておき、その上部開口３０から本体ケース１１の長辺側側板の内側に形成されている２５の案内溝２０によって２５枚のハードディスク１０を収納するようにしている。そしてこのような状態において、この本体ケース１１の上部開口３０を蓋体１２で覆うようにしている。このときに蓋体１２は本体ケース１１の開口縁部に嵌合されるとともに、フランジ３１に周縁部が接合される。
【００２０】
また本体ケース１１のＵ字状切込み２２が蓋体１２の舌片３８の膨出部３９と整合され、これによってＵ字状切込み２２が閉塞される。なお舌片３８の先端側のロック片４０のロック爪４１が図２５に示すように本体ケース１１の内側に入込むとともに、内側から矩形の開口から成る被ロック部２６に係合する。これによって本体ケース１１に対して蓋体１２がロックされる。なおロック片４０のロック爪４１と開口２６との係合動作および解除動作の際にパーティクルが発生しても、パーティクルは遮蔽板２９によって遮蔽され、ハードディスク１０がパーティクルで汚損されない。
【００２１】
ロック片４０のロック爪４１が被ロック部２６に係合してロックされているときに蓋体１２の内側に取付けられている押え部材１５の押え片４５の先端側の円弧状押圧部４６がハードディスク１０の外周部を上から弾性的に押圧する。すなわち蓋体１２が本体ケース１１に完全に装着されると、押え片４５が弾性変形しながらハードディスク１０を押えることになる。従って内部に収納保持されているハードディスク１０がこのケース内でがたつくことがない。
【００２２】
このような記憶ディスク収納ケースを複数段に積重ねる際に、図２３および図２４に示すように、上段に位置する本体ケース１１の突条２４の下端側の切欠き２５が下段に位置する本体ケース１１の上面の上部開口３０の開口縁部に係合されるとともに、突条２４の切欠き２５が下段のケースの内側のリブ２７に係合される。すなわち本体ケース１１の幅方向の両側が下段の本体ケース１１の内側のリブ２７によって規制される。従ってこのケースを積重ねたときに安定に保持される。
【００２３】
また蓋体１２の舌片３８の先端側のロック片４０のロック爪４１が図２５に示すように本体ケース１１の内側から被ロック部２６に係合される。従ってロボットハンドのプッシャー５１によって外側から上記矩形の開口２６を通してロック爪４１を内側へ押圧することによって、蓋体１２のロックが解除される。
【００２４】
しかも蓋体１２の内側に取付けられている押え部材１５はその押え片４５が弾性変形した状態で本体ケース１１内に収納されているハードディスク１０を上から押えている。従ってロック爪４１と被ロック部２６との係合が解除されて蓋体１２のロックが解除されると、押え片４５の弾性復元力によって蓋体１２が自動的に上方に浮上がって本体ケース１１から離脱する。
【００２５】
このような動作によって、本体ケース１１に対する蓋体１２の取外し動作が非常に容易になる。しかも上記プッシャー５１は外部から矩形の開口２６内のロック爪４１を単に押圧するだけでよく、ロック解除の動作も非常に単純な動作でよくなる。
【００２６】
またこの記憶ディスク収納ケースは本体ケース１１と蓋体１２と底板１７とから構成され、本体ケース１１が底部開口１６を備えるケースから構成されている。そして底部開口１６を閉塞するために底板１７が装着されるようになっており、このような底板１７によって底部開口１６を閉塞することにより、内部に収納されたハードディスク１０の汚損が防止される。
【００２７】
このように本体ケース１１はその底部開口１６を底板１７によって覆うようにしている。ここで底板１７は着脱自在であって、必要に応じて取外し、底部開口１６を露出させることが可能になる。従って作業の際に必要な場合には底板１７を取外すことになる。またこの本体ケース１１の内部を洗滌する場合にも、底板１７を取外し、内部を純水で洗滌して繰返し使用することが可能になる。そして完全に水を抜いた後に、上記底板１７を装着すればよく、洗滌処理が容易になる利点がある。
【００２８】
またこの記憶ディスク収納ケースは図１〜図３に示すように、その軸線方向側の側板の一部に筒状保持部３３を形成し、この保持部３３にＩＣタグ３５を保持するようになっている。ＩＣタグ３５は図２６に示すように半導体メモリ５４と、メモリ駆動回路５５と、送受信回路５６とを備えるＩＣチップをパターンから成るアンテナ５７とともに円板状をなすプラスチック成形体内にモールドしたものである。そしてこのようなＩＣタグ３５は外部のリーダ／ライタ５８のアンテナ５９との間で至近距離での電波の授受を行ない、これによってＩＣタグ３５の半導体メモリ５４内に各種の情報を書込むことを可能にしている。
【００２９】
ここでＩＣタグ３５にはこの記憶ディスク収納ケースによって製造されるハードディスク１０の各工程に関する情報が書込まれる。さらにはハードディスク１０のロットや種類等の情報が書込まれる。またこのケース１１に関する情報をも同時にＩＣタグ３５に書込むようにしている。
【００３０】
しかもＩＣタグ３５に対する情報の書込みは外部からリーダ／ライタ５８によって任意に消去可能であって、別の情報を再び書込むことができる。従って本体ケース１１からＩＣタグ３５を取外した後に繰返して使用できる。なお通常リーダ／ライタ５８はコンピュータ６０と接続され、コンピュータ６０を通して情報の書込みあるいは読出しを行なうようにしている。従ってこのような記憶ディスク収納ケースによれば、非接触で記憶ディスク収納ケース内の内容物の判別を行なうことが可能であって、現在どの工程まで加工されたかを容易に知ることができる。あるいはまたケース１１の使用回数や洗滌に関する情報をも確実に知ることができ、これによってハードディスク１０の汚損をより効果的に防止できるようになる。
【００３１】
またこの記憶ディスク収納ケースは、その本体ケース１１がカーボン粉末を混入したポリプロピレンまたはポリカーボネートから構成され、蓋体１２がカーボン粉末を混入したポリプロピレンから構成されている。従って導電性であって制電性を有し、静電気の発生に伴う粉塵の付着が防止される。このような理由からハードディスク１０の汚損がさらに確実に防止される。
【００３２】
次に別の実施の形態を図２７によって説明する。この実施の形態は本体ケース１１の一方の側端側にのみＵ字状切込み２２を形成したものである。すなわちハードディスク１０の配列方向であって軸線方向の一方の側端部にのみＵ字状切込み２２を形成し、他方の側端部は閉塞されている。そしてこのような形状に応じて、蓋体１２は一方の側端部にのみ舌片３８を備えている。なおこれ以外の構成は上記実施の形態と同一である。
【００３３】
このような記憶ディスク収納ケースは、本体ケース１１の一方の側端部にのみＵ字状切込み２２を形成した構造になっているために、このＵ字状切込み２２が形成された側端側からロボットハンド等によってアクセスし、ハードディスク１０の取扱いを行なうことになる。なおこのようなケースにおいても、その筒状保持部３３にＩＣタグ３５が取付けられており、これによってハードディスク１０あるいはケースに関する情報の記憶が行なわれる。
【００３４】
以上本願に含まれる発明を図示の実施の形態によって説明したが、本願に含まれる発明は上記実施の形態によって限定されることなく、本願に含まれる発明の技術的思想の範囲内において各種の変更が可能である。例えば上記実施の形態は、アルミニウム基板あるいはガラス基板に薄膜の磁性層を形成したハードディスクの収納ケースに関するものであるが、本願に含まれる発明はその他各種の記憶ディスクの収納ケースに広く適用可能である。
【００３５】
【発明の効果】
本願の主要な発明は、上部が開放され、内部に記憶ディスクをそれらの軸線が互いにほぼ一致するように配列して収納する本体ケースと、本体ケースの上部開口を覆うように取付けられる蓋体と、本体ケースの底部開口を閉塞するように取付けられる底板と、内部に収納される記憶ディスクに関する情報またはこのケースに関する情報を記憶しておく記憶手段と、を具備するようにしたものである。
【００３６】
従ってこのような記憶ディスク収納ケースによれば、記憶手段によって内部に収納される記憶ディスクに関する情報またはこのケースに関する情報を記憶しておくことが可能になり、これによって工程管理やケースの使用回数の管理等をより確実に行なうことが可能になる。また底部開口を底板で閉塞するようにしているために、洗滌等の際に底板を取外すことができ、何回も繰返して使用できる。
【図面の簡単な説明】
【図１】記憶ディスク収納ケースの全体の構造を示す分解斜視図である。
【図２】同閉じた状態の外観斜視図である。
【図３】同閉じた状態の正面図である。
【図４】同閉じた状態の平面図である。
【図５】同閉じた状態の側面図である。
【図６】同閉じた状態の底面図である。
【図７】一部を破断したケースの側面図である。
【図８】同ケースの縦断面図である。
【図９】本体ケースの平面図である。
【図１０】本体ケースの縦断面図である。
【図１１】本体ケースの幅方向の縦断面図である。
【図１２】蓋体の平面図である。
【図１３】蓋体の縦断面図である。
【図１４】蓋体の幅方向の縦断面図である。
【図１５】底部開口を閉塞する蓋板の平面図である。
【図１６】同蓋板の底面図である。
【図１７】同蓋板の側面図である。
【図１８】同蓋板の縦断面図である。
【図１９】同蓋板の幅方向の縦断面図である。
【図２０】押え部材の側面図である。
【図２１】同押え部材の底面図である。
【図２２】同押え部材の幅方向の断面図である。
【図２３】積重ねるときの位置決めの構造を示す斜視図である。
【図２４】同平面図である。
【図２５】ロック解除の動作を示す要部断面図である。
【図２６】ＩＣタグによる情報の書込みを示すブロック図である。
【図２７】変形例の記憶ディスク収納ケースを示す分解斜視図である。
【符号の説明】
１０　ハードディスク
１１　本体ケース
１２　蓋体
１５　押え部材
１６　底部開口
１７　底板
１９　突条
２０　案内溝
２２　Ｕ字状の切込み
２３　リブ
２４　突条
２５　切欠き
２６　被ロック部（矩形の開口）
２７　縦リブ
２８　切欠き
２９　遮蔽板
３０　上部開口
３１　フランジ
３２　膨出部
３３　筒状保持部
３４　突条
３５　ＩＣタグ
３６　滑り止め用突部
３８　舌片
３９　膨出部
４０　ロック片
４１　ロック爪
４２　筒状保持部
４５　押え片
４６　円弧状押圧部
４７　リブ
４８　ピン
５１　プッシャー
５４　半導体メモリ
５５　メモリ駆動回路
５６　送受信回路
５７　アンテナ
５８　リーダ／ライタ
５９　アンテナ
６０　コンピュータ
６３　周壁部（リブ）
６４　突出部
【図１】
2004083014.tif 000003
【図２】
2004083014.tif 000004
【図３】
2004083014.tif 000005
【図４】
2004083014.tif 000006
【図５】
2004083014.tif 000007
【図６】
2004083014.tif 000008
【図７】
2004083014.tif 000009
【図８】
2004083014.tif 000010
【図９】
2004083014.tif 000011
【図１０】
2004083014.tif 000012
【図１１】
2004083014.tif 000013
【図１２】
2004083014.tif 000014
【図１３】
2004083014.tif 000015
【図１４】
2004083014.tif 000016
【図１５】
2004083014.tif 000017
【図１６】
2004083014.tif 000018
【図１７】
2004083014.tif 000019
【図１８】
2004083014.tif 000020
【図１９】
2004083014.tif 000021
【図２０】
2004083014.tif 000022
【図２１】
2004083014.tif 000023
【図２２】
2004083014.tif 000024
【図２３】
2004083014.tif 000025
【図２４】
2004083014.tif 000026
【図２５】
2004083014.tif 000027
【図２６】
2004083014.tif 000028
【図２７】
2004083014.tif 000029